(57)【要約】【課題】  スキュー調整に必要なガイド軸の可動範囲を確保しながら、更なる薄型化を可能とする。【解決手段】  ガイド軸４２の端部４２ｃをベース１５の主面と直交する方向に付勢するコイルバネ４７と、ガイド軸４２の端部４２ｃをコイルバネ４７が付勢する方向とは反対側から押圧し、ガイド軸４２の端部４２ｃが支持される位置を調節する調整ネジ５１と、ガイド軸４２の端部４２ｃをベース１５の主面と直交する方向に案内するガイドスリット４９とを有する軸受部材４６とを備え、ガイド軸４２は、ガイドスリット４９に挿入される端部４２ｃに調整ネジ５１が当接する当接面４２ｄを有し、この当接面４２ｄは、ガイド軸４２の端部４２ｃを調整ネジ５１が当接する側の外周部からガイド軸４２の軸線と直交する方向に切り欠いて形成されている。【選択図】  図１２
2005203045.tif 000002
【特許請求の範囲】
【請求項１】
光学ピックアップを光学ディスクの半径方向にスライド可能に支持するガイド軸の端部をベースの主面と直交する方向に移動可能に支持し、上記光学ピックアップの対物レンズにより集光される光ビームが上記光学ディスクの信号記録面に垂直に照射されるように上記ガイド軸の傾きを調整するスキュー調整機構において、
上記ベースの主面と直交する方向の一方側から上記ガイド軸に当接されると共に、上記ガイド軸の端部を上記ベースの主面と直交する方向に付勢する付勢部材と、
上記ベースの主面と直交する方向の他方側から上記ガイド軸に当接されると共に、上記ガイド軸の端部を上記付勢部材が付勢する方向とは反対側から押圧し、上記ガイド軸の端部が支持される位置を調節する調整部材と、
上記付勢部材を保持する保持孔と、この保持孔に臨んで上記ガイド軸の端部が挿入されると共に、上記ガイド軸の端部を上記ベースの主面と直交する方向に移動可能に案内するガイドスリットとを有する軸受部材とを備え、
上記ガイド軸は、上記ガイドスリットに挿入される端部に上記付勢部材若しくは上記調整部材が当接する当接面を有し、この当接面は、上記ガイドスリットに挿入される端部を上記付勢部材若しくは上記調整部材が当接する側の外周部から当該ガイド軸の軸線と直交する方向に切り欠いて形成されていることを特徴とするスキュー調整機構。
【請求項２】
上記ガイドスリットに挿入される端部は、上記ガイド軸の軸中心を基準として上記ベース側若しくは上記ベースとは反対側に偏倚して設けられていることを特徴とする請求項１記載のスキュー調整機構。
【請求項３】
上記ガイド軸の当接面は、当該ガイド軸の先端から軸線方向に上記ガイドスリットに挿入される範囲に亘って平坦化されていることを特徴とする請求項１記載のスキュー調整機構。
【請求項４】
上記ガイド軸は、上記ガイドスリットの内側面と摺接される摺接面を有し、この摺接面は、上記ガイドスリットに挿入される端部を上記ガイドスリットの内側面と摺接される側の外周部から当該ガイド軸の軸線と直交する方向に切り欠いて形成されていることを特徴とする請求項１記載のスキュー調整機構。
【請求項５】
上記調整部材は、上記保持孔に臨む調整ネジであり、その先端部が上記ガイド軸の当接面に当接されると共に、その捻じ込み量に応じて上記付勢部材の圧縮状態を変化させることで、上記ガイド軸の端部が支持される位置を調整することを特徴とする請求項１記載のスキュー調整機構。
【請求項６】
上記付勢部材は、略円錐状のコイルバネであり、このコイルバネは、上記ガイド軸と上記ベースとの間に圧縮された状態で上記保持孔に保持されていることを特徴とする請求項１記載のスキュー調整機構。
【請求項７】
光学ディスクを回転駆動するディスク回転駆動機構と、
上記ディスク回転駆動機構により回転駆動される上記光学ディスクの信号記録面に対物レンズにより集光された光ビームを照射しながら、上記光学ディスクに対して信号の書き込み及び／又は読み出しを行う光学ピックアップと、
上記光学ピックアップを上記光学ディスクの半径方向にスライド可能に支持するガイド軸と、
上記ガイド軸の両端部が取り付けられるベースと、
上記ガイド軸の端部を上記ベースの主面と直交する方向に移動可能に支持し、上記光学ピックアップの上記対物レンズにより集光される光ビームが上記光学ディスクの信号記録面に垂直に照射されるように上記ガイド軸の傾きを調整するスキュー調整機構とを備え、
上記スキュー調整機構は、上記ベースの主面と直交する方向の一方側から上記ガイド軸に当接されると共に、上記ガイド軸の端部を上記ベースの主面と直交する方向に付勢する付勢部材と、
上記ベースの主面と直交する方向の他方側から上記ガイド軸に当接されると共に、上記ガイド軸の端部を上記付勢部材が付勢する方向とは反対側から押圧し、上記ガイド軸の端部が支持される位置を調節する調整部材と、
上記付勢部材を保持する保持孔と、この保持孔に臨んで上記ガイド軸の端部が挿入されると共に、上記ガイド軸の端部を上記ベースの主面と直交する方向に移動可能に案内するガイドスリットとを有する軸受部材とを備え、
上記ガイド軸は、上記ガイドスリットに挿入される端部に上記付勢部材若しくは上記調整部材が当接する当接面を有し、この当接面は、上記ガイドスリットに挿入される端部を上記付勢部材若しくは上記調整部材が当接する側の外周部から当該ガイド軸の軸線と直交する方向に切り欠いて形成されていることを特徴とするディスクドライブ装置。
【請求項８】
上記ガイドスリットに挿入される端部は、上記ガイド軸の軸中心を基準として上記ベース側若しくは上記ベースとは反対側に偏倚して設けられていることを特徴とする請求項７記載のディスクドライブ装置。
【請求項９】
上記ガイド軸の当接面は、当該ガイド軸の先端から軸線方向に上記ガイドスリットに挿入される範囲に亘って平坦化されていることを特徴とする請求項７記載のディスクドライブ装置。
【請求項１０】
上記ガイド軸は、上記ガイドスリットの内側面と摺接される摺接面を有し、この摺接面は、上記ガイドスリットに挿入される端部を上記ガイドスリットの内側面と摺接される側の外周部から当該ガイド軸の軸線と直交する方向に切り欠いて形成されていることを特徴とする請求項７記載のディスクドライブ装置。
【請求項１１】
上記調整部材は、上記保持孔に臨む調整ネジであり、その先端部が上記ガイド軸の当接面に当接されると共に、その捻じ込み量に応じて上記付勢部材の圧縮状態を変化させることで、上記ガイド軸の端部が支持される位置を調整することを特徴とする請求項７記載のディスクドライブ装置。
【請求項１２】
上記付勢部材は、略円錐状のコイルバネであり、このコイルバネは、上記ガイド軸と上記ベースとの間に圧縮された状態で上記保持孔に保持されていることを特徴とする請求項７記載のディスクドライブ装置。
【請求項１３】
上記ガイド機構は、上記光学ディスクの半径方向に対して互いに平行に配置された一対のガイド軸を有し、
上記スキュー調整機構は、上記一対のガイド軸の両端部にそれぞれ配置されており、上記各ガイド軸の端部が支持される位置を調節することによって、上記一対のガイド軸にスライド可能に支持された上記光学ピックアップと上記光学ディスクの信号記録面との間の距離、及び、上記光学ディスクの信号記録面に対する上記光学ピックアップの傾きを調整可能とすることを特徴とする請求項７記載のディスクドライブ装置。
【請求項１４】
上記スキュー調整機構によるスキュー調整が行われた後に、上記保持孔に注入された接着剤により上記ガイド軸の端部の支持位置が固定されることを特徴とする請求項７記載のディスクドライブ装置。
【発明の詳細な説明】
【技術分野】
【０００１】
本発明は、光ディスクに対する光学ピックアップの傾きを補正するためのスキュー調整機構、並びにそのようなスキュー調整機構を備えるディスクドライブ装置に関する。
【背景技術】
【０００２】
光学ディスクとしては、従来よりＣＤ(Compact Disk)やＤＶＤ(Digital Versatile Disk)といった光ディスク、ＭＯ(Magneto optical)やＭＤ(Mini Disk)等の光磁気ディスクが広く知られており、これらディスクやディスクカートリッジ等に対応した各種のディスクドライブ装置が登場している。
【０００３】
例えば図１５に示すように、光ディスクに対して情報信号の記録又は再生を行うディスクドライブ装置２００は、光ディスクを回転駆動するディスク回転駆動機構２０１と、このディスク回転駆動機構２０１により回転駆動される光ディスクに対して信号の書き込み又は読み出し動作を行う光学ピックアップ２０２と、この光学ピックアップ２０２を光ディスクの半径方向に送り動作させるピックアップ送り機構２０３とを備え、これらがベース２０４に取り付けられた構造を有している。
【０００４】
ディスク回転駆動機構２０１は、光ディスクを保持するターンテーブル２０５が設けられた扁平状のスピンドルモータ２０６を有しており、このスピンドルモータ２０６が光ディスクをターンテーブル２０５と一体に回転駆動する。
【０００５】
光学ピックアップ２０２は、半導体レーザから出射された光ビームを対物レンズ２０７で集光させて光ディスクの信号記録面に照射し、この光ディスクの信号記録面で反射された戻りの光ビームを光検出器で検出することによって、光ディスクに対して信号の書き込み又は読み出しを行う。
【０００６】
ピックアップ送り機構２０３は、光学ピックアップ２０２を光ディスクの半径方向に移動可能に支持する一対のガイド軸２０８ａ，２０８ｂと、光学ピックアップ２０２に取り付けられたラック部材２０９と、このラック部材２０９と噛合されるリードスクリュー２１０と、このリードスクリュー２１０を回転駆動するステッピングモータ２１１とを有しており、このステッピングモータ２１１がリードスクリュー２１０を回転駆動しながら、リードスクリュー２１０と噛合されたラック部材２０９を光学ピックアップ２０２と共に光ディスクの半径方向に変位駆動する。
【０００７】
ベース２０４には、ターンテーブル２０５が臨むテーブル用開口部２１２ａと光学ピックアップ２０２が臨むピックアップ用開口部２１２ｂとが連続形成されており、これら開口部２１２ａ，２１２ｂからターンテーブル２０５及び光学ピックアップ２０２が臨む側の主面とは反対側の主面に、スピンドルモータ２０６や、一対のガイド軸２０８ａ，２０８ｂの両端部、リードスクリュー２１０、ステッピングモータ２１１等が取り付けられている。
【０００８】
以上のように構成されるディスクドライブ装置２００では、ディスク回転駆動機構２０１が光ディスクを回転駆動し、ピックアップ送り機構２０３が光学ピックアップ２０２を光ディスクの半径方向に送り動作しながら、光学ピックアップ２０２が光ディスクに対して信号の書き込み又は読み出し動作を行うことで、光ディスクの所望の記録トラックに対する情報信号の記録又は再生が行われる。
【０００９】
ところで、上述したディスクドライブ装置２００では、光ディスクの更なる高記録密度化に対応するため、光学ピックアップ２０２から光ディスクに照射される光ビームの波長を短くしたり、対物レンズ２０７の開口数を大きくしたりすることが行われている。しかしながら、光ディスクに照射される光ビームの波長を短くし、対物レンズ２０７の開口数を高くすると、光ディスクの信号記録面に対して光学ピックアップ２０２から照射される光ビームの光軸が傾くこと（以下、スキューという。）によって収差の発生が大きくなり、記録再生特性の大幅な悪化を招くことになる。すなわち、ディスクドライブ装置２００では、光ディスクの高記録密度化に対応するほど、上述したスキューに対する許容範囲が狭くなる。したがって、光ディスクに対する良好な記録再生特性を得るためには、光学ピックアップ２０２の対物レンズにより集光された光ビームをターンテーブル２０５に保持された光ディスクの信号記録面に対して垂直に照射する必要がある。
【００１０】
このような光ディスクに対する光学ピックアップ２０２の傾きを補正する方法としては、スピンドルモータのベースに対する取付角度を調整する方法（例えば、特許文献１を参照。）や、光学ピックアップを支持する一対のガイド軸の傾きを調整する方法（例えば、特許文献２を参照。）等がある。
【００１１】
上述したディスクドライブ装置２００では、例えば図１６に示すようなスキュー調整機構２５０を介して一対のガイド軸２０８ａ，２０８ｂの両端部がベース２０４の下面に取り付けられている。
【００１２】
このスキュー調整機構２５０は、一対のガイド軸２０８ａ，２０８ｂの両端部をベース２０４の主面と直交する方向に移動可能に支持し、各ガイド軸２０８ａ，２０８ｂの端部が支持される位置をそれぞれ独立して調節することで、これらガイド軸２０８ａ，２０８ｂの傾きを調整可能としたものである。
【００１３】
具体的に、このスキュー調整機構２５０は、図１６及び図１７に示すように、一対のガイド軸２０８ａ，２０８ｂの端部を支持する軸受部材２５１を備え、この軸受部材２５１には、コイルバネ２５２を保持する保持孔２５３と、この保持孔２５３に臨んでガイド軸２０８ａ，２０８ｂの端部２０８ｃが挿入されるガイドスリット２５４とが設けられている。保持孔２５３は、軸受部材２５１を厚み方向に貫通しており、コイルバネ２５２は、この保持孔２５３の内部にベース２０４とガイド軸２０８ａ，２０８ｂの端部２０８ｃとの間に圧縮された状態で配置されている。ガイドスリット２５４は、軸受部材２５１を厚み方向に切り欠くことによって、ガイド軸２０８ａ，２０８ｂの端部２０８ｃをベース２０４の主面と直交する方向に移動可能に案内する。一方、ガイド軸２０８ａ，２０８ｂは、図１８に示すように、ガイドスリット４９に挿入される端部２０８ｃが当該ガイド軸の軸中心Ｓ’に対して同心円状に細く削られた形状を有している。また、図１６及び図１７に示すように、ベース２０４との間で軸受部材２５１を挟み込む支持板２５５には、調整ネジ２５６を螺合するためのネジ孔２５７が保持孔２５３に臨んで形成されている。調整ネジ２５６は、ネジ孔２５７に螺合された状態で、その先端部がコイルバネ２５２と相対向する位置からガイド軸２０８ａ，２０８ｂの端部２０８ｃと当接される。
【００１４】
したがって、このスキュー調整機構２５０では、調整ネジ２５６の捻じ込み量を調整することで、保持孔２５３に保持されたコイルバネ２５２の圧縮状態を変化させることができる。これより、各ガイド軸２０８ａ，２０８ｂの端部２０８ｃが支持される位置を調整しながら、光学ピックアップ２０２の対物レンズ２０７により集光される光ビームが光学ディスクの信号記録面に垂直に照射されるように、各ガイド軸２０８ａ，２０８ｂの傾きを調整することが可能となっている。
【００１５】
ところで、上述したディスクドライブ装置２００は、超薄型のディスクドライブユニットとして、例えばノート型パーソナルコンピュータ等の携帯可能な電子機器に搭載される場合に、厚み方向の様々な制約を受けることになる。特に、ハードディスクドライブ（ＨＤＤ）ユニットと同等の厚みである９．５ｍｍまで装置全体を薄型化した場合には、光ディスクと光学ピックアップ２０２との衝突の危険性が高まるだけでなく、スキュー調整を行える範囲も非常に狭くなる。
【００１６】
しかしながら、上述した従来のスキュー調整機構２５０では、ディスクドライブ装置２００の薄型化や小型化といった要求に応えるため、ベース２０４からの高さ方向の寸法Ｈ’を抑える必要があるものの、各構成部品の厚みが決まっており、ガイド軸２０８ａ，２０８ｂのスキュー調整に必要なマージンを除くと殆ど厚みを削る箇所がない。このため、上述したディスクドライブ装置２００の薄型化を図るにも自ずと限界があった。
【００１７】
【特許文献１】特開２００２−１７１７０９号公報
【特許文献２】特開２００１−２２２８２３号公報
【発明の開示】
【発明が解決しようとする課題】
【００１８】
そこで、本発明は、このような従来の事情に鑑みて提案されたものであり、スキュー調整に必要なガイド軸の可動範囲を確保しながら、更なる薄型化を可能としたスキュー調整機構を提供することを目的とする。
【００１９】
また、本発明は、そのようなスキュー調整機構を備えることによって、スキュー調整を適切に行うと共に、装置全体の更なる薄型化を可能としたディスクドライブ装置を提供することを目的とする。
【課題を解決するための手段】
【００２０】
この目的を達成するために、本発明に係るスキュー調整機構は、光学ピックアップを光学ディスクの半径方向にスライド可能に支持するガイド軸の端部をベースの主面と直交する方向に移動可能に支持し、光学ピックアップの対物レンズにより集光される光ビームが光学ディスクの信号記録面に垂直に照射されるようにガイド軸の上記ベースに対する傾きを調整するものであり、ベースの主面と直交する方向の一方側からガイド軸に当接されると共に、ガイド軸の端部をベースの主面と直交する方向に付勢する付勢部材と、ベースの主面と直交する方向の他方側からガイド軸に当接されると共に、ガイド軸の端部を付勢部材が付勢する方向とは反対側から押圧し、ガイド軸の端部が支持される位置を調節する調整部材と、付勢部材を保持する保持孔と、この保持孔に臨んでガイド軸の端部が挿入されると共に、ガイド軸の端部をベースの主面と直交する方向に移動可能に案内するガイドスリットとを有する軸受部材とを備え、ガイド軸は、ガイドスリットに挿入される端部に付勢部材若しくは調整部材が当接する当接面を有し、この当接面は、ガイドスリットに挿入される端部を付勢部材若しくは調整部材が当接する側の外周部から当該ガイド軸の軸線と直交する方向に切り欠いて形成されていることを特徴を特徴としている。
【００２１】
また、本発明に係るディスクドライブ装置は、光学ディスクを回転駆動するディスク回転駆動機構と、ディスク回転駆動機構により回転駆動される光学ディスクの信号記録面に対物レンズにより集光された光ビームを照射しながら、光学ディスクに対して信号の書き込み及び／又は読み出しを行う光学ピックアップと、光学ピックアップを光学ディスクの半径方向にスライド可能に支持するガイド軸と、ガイド軸の両端部が取り付けられるベースと、ガイド軸の端部をベースの主面と直交する方向に移動可能に支持し、光学ピックアップの対物レンズにより集光される光ビームが光学ディスクの信号記録面に垂直に照射されるようにガイド軸のベースに対する傾きを調整するスキュー調整機構とを備える。そして、このスキュー調整機構は、ベースの主面と直交する方向の一方側からガイド軸に当接されると共に、ガイド軸の端部をベースの主面と直交する方向に付勢する付勢部材と、ベースの主面と直交する方向の他方側からガイド軸に当接されると共に、ガイド軸の端部を付勢部材が付勢する方向とは反対側から押圧し、ガイド軸の端部が支持される位置を調節する調整部材と、付勢部材を保持する保持孔と、この保持孔に臨んでガイド軸の端部が挿入されると共に、ガイド軸の端部をベースの主面と直交する方向に移動可能に案内するガイドスリットとを有する軸受部材とを備え、ガイド軸は、ガイドスリットに挿入される端部に付勢部材若しくは調整部材が当接する当接面を有し、この当接面は、ガイドスリットに挿入される端部を付勢部材若しくは調整部材が当接する側の外周部から当該ガイド軸の軸線と直交する方向に切り欠いて形成されていることを特徴としている。
【発明の効果】
【００２２】
以上のように、本発明に係るスキュー調整機構では、ガイド軸のガイドスリットに挿入される端部を付勢部材若しくは調整部材が当接する側の外周部から当該ガイド軸の軸線と直交する方向に切り欠くことで、このガイドスリットに挿入される端部に付勢部材若しくは調整部材が当接する当接面が形成されている。このように、ガイド軸のガイドスリットに挿入される端部は、当該ガイド軸の軸中心を基準としてベース側若しくはベースとは反対側に偏倚して設けられていることから、スキュー調整に必要なガイド軸の可動範囲を確保しながら、ベースからの高さ方向の寸法を抑制し、この機構自体を更に薄型化することが可能である。したがって、このようなスキュー調整機構を備えるディスクドライブ装置では、スキュー調整を適切に行うと共に、装置全体を更に薄型化することが可能である。
【発明を実施するための最良の形態】
【００２３】
以下、本発明を適用したスキュー調整機構及びディスクドライブ装置について、図面を参照しながら詳細に説明する。
【００２４】
図１に示すように、本発明を適用したディスクドライブ装置１は、例えばノート型パーソナルコンピュータ１００の装置本体１０１に搭載される超薄型のディスクドライブユニットである。このディスクドライブ装置１は、図２及び図３に示すように、ハードディスクドライブ（ＨＤＤ）ユニットと同等の厚みである、例えば９．５ｍｍ程度にまで装置全体が薄型化された構造を有しており、ＣＤ(Compact Disk)やＤＶＤ(Digital Versatile Disk)といった光ディスク２に対して情報信号の記録又は再生を行うことが可能となっている。
【００２５】
具体的に、このディスクドライブ装置１は、図２，図３及び図４に示すように、ドライ本体の外筐となる筐体３と、この筐体３の前面に設けられたトレイ出入口３ａから水平方向に出し入れされるディスクトレイ４と、このディスクトレイ４に取り付けられたドライブ本体であるベースユニット５とを備えている。
【００２６】
筐体３は、全体が略扁平箱状に形成された板金からなるボトムシャーシ６に、その上面部を覆うように同じく板金からなるカバー体７がネジ止めによって取り付けられた構造を有している。筐体３は、その前面が上記トレイ出入口３ａとして開放されており、内部にディストレイ４を収納するための収納空間が形成されている。また、ボトムシャーシ６には、ドライブ本体における各部の駆動制御を行う駆動制御回路や、上記ノート型パーソナルコンピュータ１００の装置本体１０１との電気的な接続を図るコネクタ等が取り付けられた回路基板（図示せず。）等が配置されている。
【００２７】
ディスクトレイ４は、全体が略矩形扁平状に形成された樹脂成形材料からなり、その上面部には、光ディスク２に対応した形状の凹部８が設けられている。この凹部８の底面部には、ディスクトレイ４の下面に取り付けられたベースユニット５を上方へと臨ませる開口部９が形成されている。また、この開口部９から臨むベースユニット５には、図３に示すように、開口部９ａを覆う化粧板１０が取り付けられている。この化粧板１０には、後述するベースユニット５のスピンドルモータ２３及び光学ピックアップ２０を上方へと臨ませる開口部１８ａ，１８ｂに対応した開口部１０ａが形成されている。
【００２８】
このディスクトレイ４は、その両側面とボトムシャーシ６の内側面との間に介在されるガイドレール機構１１によって、図３に示すトレイ出入口３ａから筐体３の外部へと引き出される引出位置と、図２に示すトレイ出入口３ａから筐体３の内部へと引き込まれて収納される収納位置との間でスライド可能に支持されている。このディスクトレイ４の前面には、筐体３のトレイ出入口３ａを開閉する蓋体となる略矩形平板の前面パネル１２が取り付けられている。また、この前面パネル１２の前面には、光ディスク２に対するアクセス状態を点灯表示する表示部１３と、ディスクトレイ４をイジェクトする際に押圧されるイジェクト釦１４とが設けられている。
【００２９】
なお、このディスクトレイ４は、筐体３に収納された際に、図示しないロック機構によって前面側へのスライドが係止される。そして、この状態からイジェクト釦１４が押圧されると、ロック機構による係止状態が解除されることによって、ディスクトレイ４がトレイ出入口３ａから前面側へと押し出される。これにより、ディスクトレイ４をトレイ出入口３ａから引出位置へと引き出すことが可能となっている。一方、ディスクトレイ４を筐体３の収納位置へと押し込むことによって、再びロック機構による前面側へのスライドが係止されることになる。
【００３０】
ベースユニット５は、図４及び図５に示すように、板金を所定の形状に打ち抜き、その周囲を僅かに下方に折り曲げてなるベース１５を備えている。また、この下方に折り曲げられたベース１５の端縁部からは、３つのインシュレータ取付部１６が外側に向かって折り曲げ形成されている。各インシュレータ取付部１６には、振動等を吸収するためのゴム等の弾性部材からなるインシュレータ１７が取り付けられている。ベース１５は、これらインシュレータ１７を介してディスクトレイ４の下面に設けられた支軸に支持されている。ベース１５の主面には、後述するターンテーブル２２を上方へと臨ませる略半円状のテーブル用開口部１８ａと、後述する光学ピックアップ２０を上方へと臨ませる略矩形状のピックアップ用開口部１８ｂとが連続して形成されている。
【００３１】
このベースユニット５は、光ディスク２を回転駆動するディスク回転駆動機構１９と、このディスク回転駆動機構１９により回転駆動される光ディスク２に対して信号の書き込み又は読み出しを行う光学ピックアップ２０と、この光学ピックアップ２０を光ディスク２の半径方向に送り動作させるピックアップ送り機構２１とを備え、これらがベース１５の下面に取り付けられた超薄型構造を有している。
【００３２】
ディスク回転駆動機構１９は、光ディスク２を保持するターンテーブル２２が上面に設けられた扁平状のスピンドルモータ２３を有し、このスピンドルモータ２３が支持板２４に支持された構造を有している。具体的に、このスピンドルモータ２３は、支持板２４に貼り合わされたプリント配線基板上に薄膜コイルがパターン形成されたステータと、このステータと対向するマグネットが内部に取り付けられ、上面にターンテーブル２２が設けられたロータとを有し、薄膜コイルに流れる電流によって発生する磁界とマグネットとの電磁気的な作用によりロータが回転駆動するようになされている。また、この支持板２４は、スピンドルモータ２３を回転駆動するための駆動制御回路が上記ボトムシャーシ６側の回路基板に搭載されることで、上述した図１７に示す支持板２１３よりも大幅な小型化が図られている。
【００３３】
ターンテーブル２２の中心部には、光ディスク２を保持するためのチャッキング機構２５が設けられている。このチャッキング機構２５は、光ディスク２の中心孔２ａに係合されるセンタリング部２６と、このセンタリング部２６に係合された光ディスク２の中心孔２ａの周囲を係止する複数の係止爪２７とを有し、ターンテーブル２２に装着された光ディスク２のセンタリングを行いながら、この光ディスク２をターンテーブル２２上に保持する。そして、このディスク回転駆動機構１９では、スピンドルモータ２３が光ディスク２をターンテーブル２２と一体に線速度一定又は角速度一定で回転駆動することになる。
【００３４】
このディスク回転駆動機構１９では、図６及び図７に示すように、ターンテーブル２２がベース１５のテーブル用開口部１８ａからベース１５の上面よりも僅かに突出するように、スピンドルモータ２３を支持する支持板２４がスペーサ部材２８を介してベース１５の下面にネジ止めにより取り付けられている。
【００３５】
具体的に、スペーサ部材２８には、図７，図８及び図９に示すように、このようなベース１５に対するターンテーブル２２の高さ方向の位置決めを高精度に行うと共に、ベース１５とターンテーブル２２との平行度を高精度に維持するため、金型を用いて樹脂成形材料を射出成形することによって、所定の厚みＤで高精度に形成されたものを用いている。なお、この樹脂成形材料としては、熱収縮率が低く且つ剛性の高い液晶ポリマー等が好適である。
【００３６】
このスペーサ部材２８は、ベース１５と支持板２４との間でテーブル用開口部１８ａの周囲及びピックアップ用開口部１８ｂの内周側に沿った形状を有している。そして、スペーサ部材２８のベース１５と対向する主面には、当該ベース１５と当接される面の高さが同一となる４つの第１の基準突部２９ａ，２９ｂ，２９ｃ，２９ｄが突出形成されている。一方、スペーサ部材２８の支持板２４と対向する主面には、各第１の基準突部２９ａ，２９ｂ，２９ｃ，２９ｄに対応した位置に各々配置され且つ当該支持板２４と当接される面の高さが同一となる４つの第２の基準突部３０ａ，３０ｂ，３０ｃ，３０ｄが突出形成されている。なお、隣接する第２の基準突部３０ｃ，３０ｄは、互いの当接面が連続するように形成されている。
【００３７】
ここで、スペーサ部材２８を金型を用いて射出成形する際は、ベース１５と対向する一主面側を一方の金型によって成形し、ベース１５と対向する他主面側をもう一方の金型によって成形する。これにより、スペーサ部材２８は、一主面側に同一高さで突出形成される４つの第１の基準突部２９ａ，２９ｂ，２９ｃ，２９ｄと、他主面側に同一高さで突出形成される４つの第２の基準突部３０ａ，３０ｂ，３０ｃ，３０ｄとの高さ方向の寸法精度を大幅に向上させることが可能である。
【００３８】
また、このスペーサ部材２８には、各第１の基準突部２９ａ，２９ｂ，２９ｃ，２９ｄ及び第２の基準突部３０ａ，３０ｂ，３０ｃ，３０ｄを厚み方向に貫通する４つの貫通孔３１ａ，３１ｂ，３１ｃ，３１ｄが穿設されている。また、各第１の基準突部２９ａ，２９ｂ，２９ｃ，２９ｄの当接面には、これら貫通孔３１ａ，３１ｂ，３１ｃ，３１ｄの周囲を囲むように当該当接面よりも一段低くなされた円筒状の段差部３２ａ，３２ｂ，３２ｃ，３２ｄが形成されている。
【００３９】
さらに、このスペーサ部材２８の両主面には、ネジ止めされる際の面内方向の位置決めや回転止めを行うための複数のボス３３が突出形成されている。これらボス３３は、スペーサ部材２８の両主面に少なくとも２箇所以上設けることが好ましい。ここでは、スペーサ部材２８の両主面にそれぞれ２箇所ずつ設けられている。
【００４０】
一方、ベース１５には、上記スペーサ部材２８の各貫通孔３１ａ，３１ｂ，３１ｃ，３１ｄに対応した４つのネジ孔３４ａ，３４ｂ，３４ｃ，３４ｄが穿設されている。これら４つのネジ孔３４ａ，３４ｂ，３４ｃ，３４ｄは、ベース１５の下面から突出された各筒状部３５ａ，３５ｂ，３５ｃ，３５ｄの内側に形成されている。また、支持板２４には、上記スペーサ部材２８の各貫通孔３１ａ，３１ｂ，３１ｃ，３１ｄに対応した４つの孔部３６ａ，３６ｂ，３６ｃ，３６ｄが穿設されている。また、ベース１５及び支持板２４には、上記スペーサ部材２８の各ボス３３に対応したボス孔３７が穿設されている。
【００４１】
そして、この支持板２４に支持されたスピンドルモータ２３をスペーサ部材２８を介してベース１５の下面に取り付ける際は、図１０に示すように、先ず、支持板２４及びベース１５の各ボス孔３７にスペーサ部材２８の各ボス３３を係合させると共に、スペーサ部材２８の各段差部３２にベース１５の各筒状部３５を係合させることによって、支持板２４とベース１５とがスペーサ部材２８を挟み込んだ状態とする。このとき、互いに重ね合わされた支持板２４の各孔部３６と、スペーサ部材２８の各貫通孔３１と、ベース１５の各ネジ孔３４とがそれぞれ一致した状態となる。次に、この状態から、支持板２４の各孔部３６及びスペーサ部材２８の各貫通孔３１を通してベース１５の各ネジ孔３４に固定ネジ３８を螺合する。以上のようにして、スピンドルモータ２３は、ターンテーブル２２がベース１５のテーブル用開口部１８ａから上方に向かって突出した状態で、スペーサ部材２８を介してベース１５の下面に固定支持されている。
【００４２】
この場合、図９に示すように、スペーサ部材２８のベース１５と対向する主面に形成された４つの第１の基準突部２９ａ，２９ｂ，２９ｃ，２９ｄは、このスペーサ部材２８の寸法公差±ｄの影響を受けることがなく、全てベース１５と当接される面の高さが同一となる。同様に、スペーサ部材２８の支持板２４と対向する主面に形成された４つの第２の基準突部３０ａ，３０ｂ，３０ｃ，３０ｄは、このスペーサ部材２８の寸法公差±ｄの影響を受けることがなく、全て支持板２４と当接される面の高さが同一となる。
【００４３】
したがって、このディスクドライブ装置１では、スペーサ部材２８の寸法公差ｄによらずに、スピンドルモータ２３をベース１５に高精度に取り付けることが可能である。すなわち、このディスクドライブ装置１では、スピンドルモータ２３のベース１５に対する取付精度が向上することから、ターンテーブル２２に保持された光ディスク２の信号記録面とベース１５の主面との平行度を高レベルで維持することが可能である。これにより、スピンドルモータ２３をベース１５に取り付けた際の傾きやガタツキ等の発生を防ぐことが可能であり、光学ピックアップ２０から出射された光ビームをターンテーブル２２に保持された光ディスク２の信号記録面に垂直に照射することが可能である。
【００４４】
さらに、このディスクドライブ装置１では、ベース１５とターンテーブル２２との平行度を維持するのに、上述した金型作製時におけるスペーサ部材２８の高さ方向の寸法Ｄのみを管理すればよく、また、従来のスピンドルモータの取付構造に比べて部品点数が少なく、作製も容易なことから、製造コストの上昇を招くことなく、ターンテーブル２２とベース１５との平行度を高レベルで維持することが可能である。
【００４５】
また、このディスクドライブ装置１では、ターンテーブル２２とベース１５との平行度を高レベルで維持することによって、後述するスキュー調整機構４５による調整範囲も少なくて済むことから、光ディスク２の更なる高記録密度化に対応すると共に、装置全体の更なる小型軽量薄型化に対応することが可能である。
【００４６】
なお、このディスクドライブ装置１では、上述したスピンドルモータ２３を支持する支持板２４がスペーサ部材２８を介してベース１５の下面に固定される箇所が４箇所設けられているが、このような固定箇所を少なくとも３箇所設けることで、スピンドルモータ２３をベース１５に適切に取り付けることが可能である。また、このような固定箇所を増やしたとしても、上述したスペーサ部材２８の厚み方向の寸法公差ｄの影響を受けることがないので、スピンドルモータ２３をベース１５に取り付けた際の傾きやガタツキ等の発生を防ぐことが可能である。また、固定箇所の配置についても任意である。
【００４７】
また、このディスクドライブ装置１では、上述した固定箇所において、ベース１５側にネジ孔３４が形成され、支持板２４側に孔部３６が形成された構成となっているが、それとは逆、すなわちベース１５側に孔部３６が形成され、支持板２４側にネジ孔３４が形成され、ベース１５側から固定ネジ３８を螺合する構成とすることも可能である。
【００４８】
光学ピックアップ２０は、図５に示すように、光源となる半導体レーザから出射された光ビームを対物レンズ２０ａにより集光させて光ディスク２の信号記録面に照射し、この光ディスク２の信号記録面で反射された戻りの光ビームを受光素子等からなる光検出器により検出する光学ブロックを有し、光ディスク２に対する信号の書き込み又は読み出しを行うようになされている。
【００４９】
また、この光学ピックアップ２０は、対物レンズ２０ａを当該対物レンズ２０ａの光軸方向（フォーカッシング方向）と当該対物レンズ２０ａの光軸方向と直交する方向（トラッキング方向）とに変位駆動する二軸アクチュエータ（図示せず。）を有している。そして、この光学ピックアップ２０では、上述した光検出器により検出された光ディスク２からの検出信号に基づいて、二軸アクチュエータにより対物レンズ２０ａをフォーカッシング方向及びトラッキング方向に変位させながら、光ディスク２の信号記録面上に対物レンズ２０ａの焦点を合わせるフォーカスサーボや、対物レンズ２０ａにより集光される光ビームのスポット位置を常に記録トラック上に位置させるトラッキングサーボ等の駆動制御を行っている。
【００５０】
ピックアップ送り機構２１は、図５及び図６に示すように、光学ピックアップ２０を光ディスク２の半径方向にスライド可能に支持するガイド機構３９と、このガイド機構３９に支持された光学ピックアップ２０を光ディスク２の半径方向に変位駆動する変位駆動機構４０とを有している。
【００５１】
ガイド機構３９は、上記光学ピックアップ２０が搭載されたピックアップベース４１と、このピックアップベース４１を光ディスク２の半径方向にスライド可能に支持する一対のガイド軸４２ａ，４２ｂとを有している。
【００５２】
ピックアップベース４１には、一対のガイド軸４２ａ，４２ｂのうち、一方のガイド軸４２ａを挿通するガイド孔４３ａが形成された一対のガイド片４３と、他方のガイド軸４２ｂを挟み込むガイド溝４４ａが形成されたガイド片４４とが互いに対向する側面から逆向きに突出形成されている。したがって、このピックアップベース４１は、一対のガイド軸４２ａ，４２ｂに沿ってスライド可能となっている。
【００５３】
一対のガイド軸４２ａ，４２ｂは、ベース１５の下面に位置して、光ディスク２の半径方向と互いに平行となるように配置されており、ベース１５のピックアップ用開口部１８ｂから対物レンズ２０ａが臨むピックアップベース４１を光ディスク２の内外周に亘って案内する。また、これら一対のガイド軸４２ａ，４２ｂの両端部は、それぞれベース１５の下面にスキュー調整機構４５を介して取り付けられている。
【００５４】
このスキュー調整機構４５は、一対のガイド軸４２ａ，４２ｂの両端部４２ｃをベース１５の主面と直交する方向に移動可能に支持し、各ガイド軸４２ａ，４２ｂの端部４２ｃが支持される位置をそれぞれ独立して調節することで、これらガイド軸４２ａ，４２ｂの傾きを調整可能としたものである。
【００５５】
具体的に、このスキュー調整機構４５は、図７，図１１及び図１２に示すように、一対のガイド軸４２ａ，４２ｂの端部４２ｃを支持する軸受部材４６を備えている。また、一対のガイド軸４２ａ，４２ｂの両端部のうち、内周側の端部４２ｃを支持する軸受部材４６は、上記スペーサ部材２８と一体に形成されている。すなわち、上述したスペーサ部材２８には、一対のガイド軸４２ａ，４２ｂの内側の端部４２ｃを支持する一対の軸受部４６が設けられている。
【００５６】
なお、ガイド軸４２ａ，４２ｂの内周側の端部４２ｃを支持する軸受部４６と外周側の端部４２ｃを支持する軸受部材４６とは、略々同様の構成を有している。したがって、以下、これらを軸受部材４６としてまとめて説明する。
【００５７】
この軸受部材４６には、付勢部材となるコイルバネ４７を保持する保持孔４８と、この保持孔４８に臨んでガイド軸４２ａ，４２ｂの端部４２ｃが挿入されるガイドスリット４９とが設けられている。
【００５８】
保持孔４８は、軸受部材４６を厚み方向に貫通する略円形状の孔部である。一方、この保持孔４８の内部に保持されるコイルバネ４７は、略円錐状に形成されており、径の大きい方をベース１５側とし、径の小さい方をガイド軸４２ａ，４２ｂ側として、ベース１５とガイド軸４２ａ，４２ｂの端部４２ｃとの間に圧縮された状態で配置されている。したがって、このコイルバネ４７は、ベース１５の主面と直交する方向の一方側からガイド軸４２ａ，４２ｂに当接されると共に、このガイド軸４２ａ，４２ｂの端部４２ｃをベース１５の主面と直交する方向（ベース１５から離間する方向）に付勢することになる。
【００５９】
また、この略円錐状のコイルバネ４７は、径の大きい方の内側に径の小さい方が入り込みながら圧縮されるため、圧縮された際の高さ方向の寸法を抑えることが可能であり、このスキュー調整機構４５の薄型化に寄与している。なお、付勢部材としては、このようなコイルバネ４７や板バネ等のバネ部材の他にも、例えば中空円筒状に形成されたシリコンゴム等の弾性部材を用いることも可能である。
【００６０】
ガイドスリット４９は、ガイド軸４２ａ，４２ｂの端部４２ｃの長さに合わせて軸受部材４６を厚み方向に切り欠くように直線状に形成されており、挿入されたガイド軸４２ａ，４２ｂの端部４２ｃをベース１５の主面と直交する方向、すなわちベース１５の主面と近接又は離間する方向に案内する。
【００６１】
一方、ガイド軸４２ａ，４２ｂは、図１３に示すように、全体が略円柱状の丸棒であり、その両端部４２ｃ、すなわちガイドスリット４９に挿入される端部４２ｃには、後述する調整ネジ５１の先端部が当接する当接面４２ｄが設けられている。
【００６２】
この当接面４２ｄは、ガイドスリット４９に挿入される端部４２ｃを調整ネジ５１が当接する側の外周部から当該ガイド軸４２ａ，４２ｂの軸線と直交する方向に切り欠いて形成されている。また、この当接面４２ｄは、ガイド軸４２ａ，４２ｂの先端から軸線方向にガイドスリット４９に挿入される範囲に亘って平坦化されている。すなわち、このガイドスリット４９に挿入される端部４２ｃには、ベース１５とは反対側の外周部の一部を切り欠くことで、軸線に対して平行な当接面４２ｄが形成されている。このように、ガイドスリット４９に挿入される端部４２ｃは、ガイド軸４２ａ，４２ｂの軸中心Ｓを基準としてベース１５側に偏倚して設けられている。
【００６３】
さらに、ガイドスリット４９に挿入される端部４２ｃには、ガイドスリット４９の内側面と摺接される一対の摺接面４２ｅが設けられている。これら一対の摺接面４２ｅは、ガイドスリット４９に挿入される端部４２ｃをガイドスリット４９の内側面と摺接される側の外周部からそれぞれガイド軸４２ａ，４２ｂの軸線と直交する方向に切り欠いて形成されている。また、これら一対の摺接面４２ｅは、ガイド軸４２ａ，４２ｂの先端からガイドスリット４９に挿入される軸線方向の範囲に亘って平坦化されている。すなわち、このガイドスリット４９に挿入される端部４２ｃには、ガイドスリット４９に沿って外周部の一部を切り欠くことで、上述した当接面４２ｄに対して垂直な一対の摺接面４２ｅが形成されている。
【００６４】
このように、ガイド軸４２ａ，４２ｂのガイドスリット４９に挿通される端部４２ｃは、ピックアップベース４１をスライド可能に支持する部分よりも細く削られた段付き形状となっている。具体的に、ガイドスリット４９に挿入される端部４２ｃのうち、当接面４２ｄ側は、図１２に示すように、ガイド軸４２ａ，４２ｂの軸中心Ｓ付近或いはそれよりも深く削り取られている。一方、一対の摺接面４２ｅ側は、ベース１５の主面に対して垂直な方向の寸法Ａが、ベース１５の主面に対して平行な方向の寸法Ｂよりも大となる範囲（Ａ＞Ｂ）で削り取られている。
【００６５】
図１１及び図１２に示すように、ベース１５との間で軸受部材４６を挟み込む支持板２４には、保持孔４８に臨むネジ孔５０が形成されている。そして、このネジ孔５０には、調整部材である調整ネジ５１が螺合されている。
【００６６】
なお、ガイド軸４２ａ，４２ｂの外周側の端部４２ｃを支持する軸受部材４６は、上記スピンドルモータ２３を支持する支持板２４と同様の支持板２４によりベース１５との間で挟み込まれている。そして、この状態で支持板２４が軸受部材４６を介してベース１５の下面に固定ネジ３８により固定されて取り付けられている。なお、この軸受部材４６は、支持板２４と一体化されたものであってもよい。
【００６７】
調整ネジ５１は、その先端部がベース１５の主面と直交する方向の他方側からガイド軸４２ａ，４２ｂの端部４２ｃと当接されると共に、このガイド軸４２ａ，４２ｂの端部４２ｃをコイルバネ４７が付勢する方向とは反対側から押圧する。すなわち、この調整ネジ５１は、コイルバネ４７と相対向する位置からガイド軸４２ａ，４２ｂの当接面４２ｄに当接されると共に、その捻じ込み量に応じてコイルバネ４７の圧縮状態を変化させる。これにより、ガイド軸４２ａ，４２ｂの端部４２ｃが支持される位置を任意に調整することができる。なお、この調整ネジ５１の頭部は、捻じ込み量が分かるように一字孔５１ａが形成されている。
【００６８】
以上のように、このスキュー調整機構４５では、各ガイド軸４２ａ，４２ｂの端部４２ｃが支持される位置を調整ネジ５１により調節しながら、光学ピックアップ２０の対物レンズ２０ａにより集光される光ビームが光ディスク２の信号記録面に垂直に照射されるように、各ガイド軸４２ａ，４２ｂの傾きを調整することが可能となっている。
【００６９】
なお、ベース１５には、保持孔４８に接着剤Ｐを注入するための注入孔５２が形成されている。この接着剤Ｐは、紫外線硬化樹脂等からなる。したがって、このスキュー調整機構４５では、スキュー調整後に注入孔５２から保持孔４８に接着剤Ｐを注入し硬化させることで、ガイド軸４２ａ，４２ｂの端部４２ｃの支持位置を強固に固定することが可能である。
【００７０】
変位駆動機構４０は、図５，図６及び図１４に示すように、ピックアップベース４１に取り付けられたラック部材５３と、このラック部材５３と噛合される送りネジ５４と、この送りネジ５４を回転駆動する駆動モータ５５とを有している。
【００７１】
ラック部材５３は、その基端側がピックアップベース４１の一対のガイド片４３の間に位置してネジ止めにより取り付けられ、その先端側に一方のガイド軸４２ａと平行に配置された送りネジ５４と噛合されるラック部５３ａが一体に形成されている。送りネジ５４は、駆動モータ５５の駆動軸と一体に形成されており、その外周面には、上記ラック部材５３のラック部５３ａが噛合される螺旋状のリードスクリュー５４ａが形成されている。駆動モータ５５は、いわゆるステッピングモータであり、駆動パルスに応じて送りネジ５４を回転駆動する。また、これら送りネジ５４及び駆動モータ５５は、ベース１５の下面にネジ止めによって取り付けられたブラケット５６に支持されている。このブラケット５６は、長尺状の板金の両端部が同一方向に直角に折り曲げられた形状を有しており、その折り曲げられた一端側に送りネジ５４を貫通させた状態で駆動モータ５５が固定される一方、他端に設けられた軸孔に送りネジ５４の先端が軸支されることによって、送りネジ５４を回転可能に支持している。
【００７２】
ピックアップ送り機構２１では、駆動モータ５５が送りネジ５４を回転駆動しながら、リードスクリュー５４ａとラック部５３ａとの噛合によりラック部材５３を送りネジ５４の軸線方向に変位させる。これにより、光学ピックアップ２０がピックアップベース４１と一体に一対のガイド軸４２ａ，４２ｂに沿った方向、すなわち光ディスク２の半径方向に送り動作される。
【００７３】
以上のように構成されるディスクドライブ装置１では、光ディスク２を保持するディスクトレイ４が筐体３に収納された状態で、ディスク回転駆動機構１９が光ディスク２を回転駆動し、ピックアップ送り機構２１が光学ピックアップ２０を光ディスク２の内外周に亘って送り動作しながら、光学ピックアップ２０が光ディスク２に対して信号の書き込み又は読み出し動作を行うことで、光ディスク２の所望の記録トラックに対する情報信号の記録又は再生が行われる。
【００７４】
また、このディスクドライブ装置１では、上述したスキュー調整機構４５によって各ガイド軸４２ａ，４２ｂの端部４２ｃが支持される位置を調節することによって、一対のガイド軸４２ａ，４２ｂにスライド可能に支持された光学ピックアップ２０とターンテーブル２２に保持された光ディスク２の信号記録面との間の距離、及び、光ディスク２の信号記録面に対する光学ピックアップ２０の傾きを調整することが可能となっている。
【００７５】
ところで、上述したスキュー調整機構４５では、ガイド軸４２ａ，４２ｂのガイドスリット４９に挿入される端部４２ｃを、調整ネジ５１が当接する側の外周部からガイド軸４２ａ，４２ｂの軸線と直交する方向に切り欠くことで、このガイドスリット４９に挿入される端部４２ｃに調整ネジ５１が当接する当接面４２ｄが形成されている。また、このガイドスリット４９に挿入される端部４２ｃは、ガイド軸４２ａ，４２ｂの軸中心Ｓを基準としてベース１５側に偏倚して設けられている。
【００７６】
具体的に、ガイド軸４２ａ，４２ｂは、ガイドスリット４９に挿入される端部４２ｃの剛性を確保した上で、当接面４２ｄ側がガイド軸４２ａ，４２ｂの軸中心Ｓ付近或いはそれよりも深く切り欠かれている。したがって、この場合には、図１１及び図１２に示すように、ガイド軸４２ａ，４２ｂの切り欠かれた部分に支持板２４を位置させることで、この支持板２４をガイド軸４２ａ，４２ｂの最外周部よりもベース１５側に位置させることができる。すなわち、軸受部材４６の厚み方向の寸法を削ることができる。また、調整ネジ５１のガイド軸４２ａ，４２ｂの端部４２ｃと当接される位置をベース１５側に近づけることによって、従来よりも僅かなスペースにて調整ネジ５１を組み込むことができる。
【００７７】
このように、図１２に示すガイド軸４２ａ，４２ｂの軸中心Ｓから支持板２４までの高さ寸法ｈは、図１７に示す従来のスキュー調整機構２５０の場合における高さ寸法ｈ’よりも小さくなっている（ｈ＜ｈ’）。これにより、スキュー調整機構４５では、スキュー調整に必要なガイド軸４２ａ，４２ｂの可動範囲を確保しながら、ベース１５からの高さ方向の寸法Ｈを抑制することが可能であり、この機構自体を従来よりも薄型化（Ｈ＜Ｈ’）することが可能である。
【００７８】
また、上述したスキュー調整機構４５では、ガイドスリット４９に挿入される端部４２ｃを、ガイドスリット４９の内側面と摺接される側の外周部からそれぞれガイド軸４２ａ，４２ｂの軸線と直交する方向に切り欠くことで、このガイドスリット４９に挿入される端部４２ｃにガイドスリット４９の内側面と摺接される一対の摺接面４２ｅが形成されている。
【００７９】
これにより、ガイドスリット４９に挿入されたガイド軸４２ａ，４２ｂが軸回りに回転することを防止することが可能であり、スキュー調整後にガイド軸４２ａ，４２ｂが回転して端部４２ｃの支持位置が高さ方向にずれることを防止することが可能である。
【００８０】
さらに、ガイド軸４２ａ，４２ｂのガイドスリット４９に挿入される端部４２ｃは、ベース１５の主面に対して垂直な方向の寸法Ａが、ベース１５の主面に対して平行な方向の寸法Ｂよりも大とされている。これにより、ガイド軸４２ａ，４２ｂをガイドスリット４９に挿入する際にガイド軸４２ａ，４２ｂが傾くのを防ぐことができる。
【００８１】
したがって、このようなスキュー調整機構４５を備えるディスクドライブ装置１では、光学ピックアップ２０の対物レンズ２０ａにより集光された光ビームをターンテーブル２２に保持された光ディスク２の信号記録面に垂直に照射させるのに必要なスキュー調整等を高精度に行うと共に、装置全体の更なる薄型化及び小型化を行うことが可能である。
【００８２】
なお、上記スキュー調整機構４５では、ガイド軸４２ａ，４２ｂを挟んでベース１５側にコイルバネ４７を配置し、支持板２４側に調整ネジ５１を配置した構成となっているが、それとは逆、すなわちガイド軸４２ａ，４２ｂを挟んでベース１５側に調整ネジ５１を配置し、支持板２４側のコイルバネ４７を配置した構成とすることも可能である。
【００８３】
ここで、上記スキュー調整機構４５では、調整ネジ５１がガイド軸４２ａ，４２ｂの当接面４２ｄと当接する構成となっているが、それとは逆、すなわちコイルバネ４７がガイド軸４２ａ，４２ｂの当接面４２ｄと当接する構成も考えられる。
【００８４】
この場合、調整ネジ５１の先端部は、ガイド軸４２ａ，４２ｂの湾曲した外周部を押圧することになる。したがって、調整ネジ５１の先端部とガイド軸４２ａ，４２ｂの端部４２ｃとの当接位置がずれた場合には、調整ネジ５１の捻じ込み量に応じたガイド軸４２ａ，４２ｂに対する押圧が一定とならずに、コイルバネ４７の圧縮状態に変化が生じることになる。
【００８５】
以上のことから、上記スキュー調整機構４５では、調整ネジ５１がガイド軸４２ａ，４２ｂの当接面４２ｄと当接される構成とすることが望ましい。これにより、スキュー調整の更なる安定化を図ることが可能である。
【００８６】
また、上記スキュー調整機構４５では、ベース１５とは反対側に当接面４２ｄが位置するようにガイド軸４２ａ，４２ｂの端部４２ｃが軸受部材４６のガイドスリット４９に挿入された構成となっているが、それとは逆、すなわちベース１５側に当接面４２ｄが位置するようにガイド軸４２ａ，４２ｂの端部４２ｃを軸受部材４６のガイドスリット４９に挿入する構成とすることも可能である。
【００８７】
この場合、ガイドスリット４９に挿入される端部４２ｃは、ガイド軸４２ａ，４２ｂの軸中心Ｓを基準としてベース１５とは反対側に偏倚することになる。したがって、この場合には、ガイド軸４２ａ，４２ｂの切り欠かれた部分にピックアップ用開口部１８ｂを形成するベース１５の端部を位置させることによって、軸受部材４６の厚み方向の寸法を削ることができる。
【００８８】
これにより、スキュー調整機構４５では、スキュー調整に必要なガイド軸４２ａ，４２ｂの可動範囲を確保しながら、ベース１５からの高さ方向の寸法Ｈを抑制することが可能であり、この機構自体を従来よりも薄型化（Ｈ＜Ｈ’）することが可能である。
【００８９】
なお、ガイドスリット４９に挿入される端部４２ｃの当接面４２ｄ側をガイド軸４２ａ，４２ｂの軸中心Ｓよりも深く切り欠くか、浅く切り欠くか、或いは軸中心Ｓと一致するまで切り欠くかについては、設計に応じて任意に変更することが可能であるが、更なる薄型化を図るためには、剛性が取れる範囲内で、ガイドスリット４９に挿入される端部４２ｃの当接面４２ｄ側を軸中心Ｓよりも深く切り欠くことが望ましい。
【００９０】
なお、ガイドスリット４９に挿入される端部４２ｃがガイド軸４２ａ，４２ｂの軸中心Ｓを基準としてベース１５側或いはベース１５とは反対側に偏倚し、且つ剛性が取れる範囲内においては、ガイド軸４２ａ，４２ｂの端部４２ｃにおける当接面４２ｄとは反対側の外周部を当該ガイド軸４２ａ，４２ｂの軸線と直交する方向に切り欠くことによって、このガイド軸４２ａ，４２ｂの端部４２ｃにコイルバネ４７或いは調整ネジ５１が当接する当接面を形成することも可能である。
【産業上の利用可能性】
【００９１】
なお、本発明は、上述した光ディスク２に対して情報信号の記録又は再生を行うディスクドライブ装置１に上記スキュー調整機構４５を適用したが、光ディスク以外にも光磁気ディスク等の光学ディスク、或いはこれら光学ディスクがディスクカートリッジに収納されたものに対して情報信号の記録及び／又は再生を行うディスクドライブ装置に上記スキュー調整機構４５を適用することが可能である。
【図面の簡単な説明】
【００９２】
【図１】本発明を適用したディスクドライブ装置が搭載されたノート型パーソナルコンピュータを示す斜視図である。
【図２】上記ディスクドライブ装置のディスクトレイが収納された状態を示す斜視図である。
【図３】上記ディスクドライブ装置のディスクトレイが引き出された状態を示す斜視図である。
【図４】上記ディスクドライブ装置の構成を示す分解斜視図である。
【図５】ベースユニットを上面側から見た斜視図である。
【図６】ベースユニットを下面側から見た斜視図である。
【図７】ベースユニットを下面側から見た分解斜視図である。
【図８】スペーサ部材の構成を示す斜視図である。
【図９】スペーサ部材の構成を示す側面図である。
【図１０】支持板、スペーサ部材及びサブシャーシの取付構造を示す要部断面図である。
【図１１】スキュー調整機構の構成を示す軸線方向の断面図である。
【図１２】スキュー調整機構の構成を示す軸線方向と直交する方向の断面図である。
【図１３】ガイド軸の端部の構成を示す斜視図である。
【図１４】ピックアップ送り機構の構成を示す平面図である。
【図１５】従来のディスクドライブ装置の構成を示す斜視図である。
【図１６】従来のスキュー調整機構の構成を示す軸線方向の断面図である。
【図１７】従来のスキュー調整機構の構成を示す軸線方向と直交する方向の断面図である。
【図１８】従来のガイド軸の端部の構成を示す斜視図である。
【符号の説明】
【００９３】
１  ディスクドライブ装置、  ２  光ディスク、  ５  ベースユニット、  １５  ベース、  １９  ディスク回転駆動機構、  ２０  光学ピックアップ、  ２１  ピックアップ送り機構、  ２２  ターンテーブル、  ２３  スピンドルモータ、  ２４  支持板、  ２８  スペーサ部材、  ４２ａ，４２ｂ  一対のガイド軸、  ４５  スキュー調整機構、  ４６  軸受部材、  ４７  コイルバネ、  ４８  保持孔、  ４９  ガイドスリット、  ５１  調整ネジ
【図１】
2005203045.tif 000003
【図２】
2005203045.tif 000004
【図３】
2005203045.tif 000005
【図４】
2005203045.tif 000006
【図５】
2005203045.tif 000007
【図６】
2005203045.tif 000008
【図７】
2005203045.tif 000009
【図８】
2005203045.tif 000010
【図９】
2005203045.tif 000011
【図１０】
2005203045.tif 000012
【図１１】
2005203045.tif 000013
【図１２】
2005203045.tif 000014
【図１３】
2005203045.tif 000015
【図１４】
2005203045.tif 000016
【図１５】
2005203045.tif 000017
【図１６】
2005203045.tif 000018
【図１７】
2005203045.tif 000019
【図１８】
2005203045.tif 000020